(57)【要約】【課題】顧客が商品の確認を容易に行うことができ、かつ商品の購入間違いを防止することができる携帯端末を提供する。【解決手段】ＣＰＵ３０１は、ＲＡＭ３０３に記憶されている関連商品情報を呼び出す。表示部３０５は、呼び出された関連商品情報に含まれる品名を表示する。スキャナ部３０４は、商品に付されたコード情報を読み取る。ＣＰＵ３０１は、読み取られたコード情報と、関連商品情報に含まれるコード情報とを照合し、表示部３０５によって表示されている品名のうち、照合の結果、一致したコード情報に対応した品名を非表示にさせる、あるいは他の品名と区別して表示させる。【選択図】図２
2009277209.tif 000002
【特許請求の範囲】
【請求項１】
商品に付されたコード情報を携帯端末が読み取り、前記携帯端末のコード情報を精算端末が取り込んで会計処理を行う商品販売処理システムで使用される前記携帯端末において、
購入予定商品の少なくとも商品のコード情報と品名とを含む商品情報を識別情報毎に記憶する記憶手段と、
前記記憶手段に記憶された前記品名を表示する表示手段と、
買上商品より読み取られた前記コード情報と、前記商品情報に含まれる前記コード情報とを照合する照合手段と、
前記表示手段によって表示されている前記品名のうち、前記照合手段による照合の結果、一致した前記コード情報に対応した品名を非表示にさせる、あるいは他の品名と区別して表示させる表示制御手段と、
を備えたことを特徴とする携帯端末。
【請求項２】
少なくとも購入予定商品のコード情報と品名とを含む商品情報をコード化したコード化情報を販促物より読み取る読取手段と、
前記読取手段によって読み取られた前記コード化情報を前記商品情報に変換する変換手段と、
をさらに備えたことを特徴とする請求項１に記載の携帯端末。
【請求項３】
前記表示手段によって表示された前記品名に対応した全ての前記コード情報の照合が終了した場合に完了を報知する完了報知手段をさらに備えたことを特徴とする請求項１または請求項２に記載の携帯端末。
【請求項４】
前記照合手段による照合の結果、前記コード情報同士が一致しなかった場合にエラーを報知するエラー報知手段をさらに備えたことを特徴とする請求項１〜請求項３のいずれかに記載の携帯端末。
【請求項５】
操作者が前記品名の選択指示を入力する選択指示入力手段と、
操作者が前記品名の表示切替指示を入力する表示切替指示入力手段とをさらに備え、
前記表示制御手段はさらに、前記品名の選択指示が前記選択指示入力手段に入力された場合には、前記表示手段によって表示された前記品名のうち、前記品名の選択指示に基づいて選択した品名を非表示にさせ、さらに前記品名の表示切替指示が前記表示切替指示入力手段に入力された場合には、前記照合手段による照合の結果、一致した前記コード情報に対応した前記品名と、前記品名の選択指示に基づいて選択した前記品名とを分けて表示させる
ことを特徴とする請求項１〜請求項４のいずれかに記載の携帯端末。
【請求項６】
前記表示制御手段は、前記品名の表示切替指示が前記表示切替指示入力手段に入力された場合には、前記照合手段による照合の結果、一致した前記コード情報に対応した前記品名および当該品名に対応した商品の数ならびに金額と、前記品名の選択指示に基づいて選択した前記品名とを分けて表示させる
ことを特徴とする請求項５に記載の携帯端末。
【発明の詳細な説明】
【技術分野】
【０００１】
本発明は、購入する商品に付されたコード情報を顧客が携帯端末に読み取らせ、コード情報に対応した商品情報を精算端末が携帯端末から取り込んで会計処理を行う商品販売処理システムで使用される携帯端末に関する。
【背景技術】
【０００２】
スーパーマーケット等の店舗では、商品の販売促進の一環として、レシピ（献立）や特売チラシ等の配布を実施している。これに関連して、特許文献１には、レシピ情報を提供する技術が記載されている。
【特許文献１】特開２００６−３３１１５９号公報
【発明の開示】
【発明が解決しようとする課題】
【０００３】
しかしながら、店舗側が用意したレシピや特売チラシ等に基づき、顧客が多種類の商品を購入する場合、目的とする全ての商品を購入したか否かの確認が面倒であり、その時間もかかった。また、記載された品名を見間違える等により商品の購入間違いを起こしてしまうという問題も発生することがあった。本来、レシピあるいは特売チラシ等を配布する目的は、店舗側が販売したい商品を含むレシピおよび特売チラシの情報を顧客へ提供することにより、販売したい商品やその関連商品を顧客に購入してもらうことにある。一方、顧客は、自ら要求する商品と関係するレシピや特売に関する情報が得られるため、高い満足度が得られるはずである。
【０００４】
しかしながら、顧客がレシピあるいは特売チラシ等を見ながら、手に取った商品と、レシピあるいは特売チラシ等に記載された商品とをその都度照合する購買行動において、顧客が商品を間違えて購入してしまった場合には、店舗側が提供したレシピあるいは特売チラシ等が原因で顧客が無駄な買い物をさせられてしまうという問題や、提供されたレシピ通りに料理を完成させることができないという問題が発生してしまう。
【０００５】
一方、店舗側は、販売したい商品を組み込んだレシピあるいは特売チラシ等の提供を通じて、その商品の販売を促進すると共に、その商品と関連する商品の販売をも促進するはずが、顧客側でのレシピあるいは特売チラシ等に基づく照合が面倒であるために、逆に顧客の購買意欲を阻害してしまい、販売したい商品の販売を促進することができないという問題があった。
【０００６】
本発明は、上述した課題に鑑みてなされたものであって、顧客が上記の確認を容易に行うことができ、かつ商品の購入間違いを防止することができる携帯端末を提供することを目的とする。
【課題を解決するための手段】
【０００７】
本発明は、上記の課題を解決するためになされたもので、商品に付されたコード情報を携帯端末が読み取り、前記携帯端末のコード情報を精算端末が取り込んで会計処理を行う商品販売処理システムで使用される前記携帯端末において、購入予定商品の少なくとも商品のコード情報と品名とを含む商品情報を識別情報毎に記憶する記憶手段と、前記記憶手段に記憶された前記品名を表示する表示手段と、買上商品より読み取られた前記コード情報と、前記商品情報に含まれる前記コード情報とを照合する照合手段と、前記表示手段によって表示されている前記品名のうち、前記照合手段による照合の結果、一致した前記コード情報に対応した品名を非表示にさせる、あるいは他の品名と区別して表示させる表示制御手段とを備えたことを特徴とする携帯端末である。
【０００８】
上記の発明によれば、表示手段によって表示されている品名のうち、照合手段による照合の結果、一致したコード情報に対応した品名が非表示となる、あるいは他の品名と区別して表示される。すなわち、購入対象となる一群の商品の品名のうち、顧客がコード情報を読み取った購入済み商品の品名が非表示となる、あるいは他の品名と区別して表示される。これによって、顧客が多種類購入する商品を買ったか否かをもれなく確認することができると共に、購入済み商品および未購入商品を容易に確認することができる。また、上記の発明によれば、照合手段による照合の結果、一致したコード情報に対応した品名のみが非表示となる、あるいは他の品名と区別して表示されるので、商品の購入間違いを防止することができる。
【０００９】
また、本発明の携帯端末は、少なくとも購入予定商品のコード情報と品名とを含む商品情報をコード化したコード化情報を販促物より読み取る読取手段と、前記読取手段によって読み取られた前記コード化情報を前記商品情報に変換する変換手段とをさらに備えたことを特徴とする。
【００１０】
上記の発明によれば、商品情報をコード化したコード化情報が印刷された配布物からコード化情報が読み取られるので、商品情報を携帯端末に予め記憶させておく必要がなくなり、携帯端末の限られた記憶容量を節約することができる。
【００１１】
また、本発明の携帯端末は、前記表示手段によって表示された前記品名に対応した全ての前記コード情報の照合が終了した場合に完了を報知する完了報知手段をさらに備えたことを特徴とする。
【００１２】
上記の発明によれば、表示手段によって表示された品名に対応した全てのコード情報の照合が終了した場合に完了が報知されるので、顧客は戸惑うことなく会計を行うことができる。
【００１３】
また、本発明の携帯端末は、前記照合手段による照合の結果、前記コード情報同士が一致しなかった場合にエラーを報知するエラー報知手段をさらに備えたことを特徴とする。
【００１４】
上記の発明によれば、照合手段による照合の結果、コード情報同士が一致しなかった場合にエラーが報知されるので、顧客は会計前に商品の購入間違いを知ることができる。
【００１５】
また、本発明の携帯端末は、操作者が前記品名の選択指示を入力する選択指示入力手段と、操作者が前記品名の表示切替指示を入力する表示切替指示入力手段とをさらに備え、前記表示制御手段はさらに、前記品名の選択指示が前記選択指示入力手段に入力された場合には、前記表示手段によって表示された前記品名のうち、前記品名の選択指示に基づいて選択した品名を非表示にさせ、さらに前記品名の表示切替指示が前記表示切替指示入力手段に入力された場合には、前記照合手段による照合の結果、一致した前記コード情報に対応した前記品名と、前記品名の選択指示に基づいて選択した前記品名とを分けて表示させることを特徴とする。
【００１６】
上記の発明によれば、照合手段による照合の結果、一致したコード情報に対応した品名と、品名の選択指示に基づいて選択した品名とを分けて表示することが可能となり、顧客がコード情報を読み取った購入済み商品と、購入する予定のない商品とを容易に確認することができるので、買い物チェックが容易になる。
【００１７】
また、本発明の携帯端末において、前記表示制御手段は、前記品名の表示切替指示が前記表示切替指示入力手段に入力された場合には、前記照合手段による照合の結果、一致した前記コード情報に対応した前記品名および当該品名に対応した商品の数ならびに金額と、前記品名の選択指示に基づいて選択した前記品名とを分けて表示させることを特徴とする。
【００１８】
上記の発明によれば、同様に顧客がコード情報を読み取った購入済み商品と、購入する予定のない商品とを容易に確認することができる。また、顧客がコード情報を読み取った購入済み商品の品名および商品の数ならびに金額を表示することが可能となるので、顧客が会計前に支払い予定の金額を知ることができる。
【発明の効果】
【００１９】
本発明によれば、顧客が購入する多種類の商品を購入したか否かをもれなく確認することができ、かつ商品の購入間違いを防止することができるという効果が得られる。
【発明を実施するための最良の形態】
【００２０】
以下、図面を参照し、本発明の実施形態を説明する。図１は、本発明の一実施形態による商品販売処理システムのシステム構成を示した図である。同図において、商品販売処理システムには、ストアコントローラ１０と、複数台のＰＯＳレジスタ２０（精算端末）と、来店客が商品のコード読み取りに使用するｎ台のハンディターミナル３０−１〜３０−ｎ（携帯端末）と、各ＰＯＳレジスタ２０に有線接続され、ハンディターミナルが買い上げ商品の精算時にセットされるレジ用クレードル２１（中継器）と、ハンディターミナルが未使用時に載置されている客用クレードル４０と、会員カードリーダ５０とが含まれている。また、各ＰＯＳレジスタ２０と客用クレードル４０は、ＬＡＮ（Ｌｏｃａｌ  Ａｒｅａ  Ｎｅｔｗｏｒｋ）６０によりストアコントローラ１０に接続されている。
【００２１】
ここで、ストアコントローラ１０と各ＰＯＳレジスタ２０とは、本商品販売処理システムを構築する小売店において既に導入済みの既存の装置類であり、そこに、レジ用クレードル２１、ハンディターミナル３０−１〜３０−ｎ、客用クレードル４０、会員カードリーダ５０を追加導入することにより、本商品販売処理システムが構成されることになる。
【００２２】
ストアコントローラ１０は、商品ファイル、会員ファイル、販売実績ファイル、レシピファイル、特売ファイルなどの各種ファイルやデータの管理を行うコンピュータである。ここで、商品ファイルは、各商品の商品名、商品コード、販売価格などの商品情報を格納したファイルであり、必要に応じてその内容を編集・変更することが可能になっているとともに、最新の商品ファイルが各ＰＯＳレジスタ２０と客用クレードル４０に接続されたハンディターミナル３０へ適宜送信される。また、会員ファイルは、この小売店に会員として登録した客のリストを会員番号などとともに格納したものである。販売実績ファイルは、各ＰＯＳレジスタ２０で登録・精算処理したデータを集計することにより生成したファイルである。
【００２３】
レシピファイル（関連商品情報）は、料理のレシピに含まれる商品の商品コードや商品名称などの情報を格納したファイルであり、必要に応じてその内容を編集・変更することが可能になっているとともに、最新のレシピファイルは客用クレードル４０に接続されたハンディターミナル３０へ適宜送信される。特売ファイル（関連商品情報）は、特売対象の商品の商品コードや商品名称などの情報を格納したファイルであり、必要に応じてその内容を編集・変更することが可能になっているとともに、最新のレシピファイルが各ＰＯＳレジスタ２０と客用クレードル４０に接続されたハンディターミナル３０へ適宜送信される。
【００２４】
ＰＯＳレジスタ２０は、来店客が買い上げる商品の登録および精算を行うための装置であり、各種の操作キーや表示部などを備えている。このＰＯＳレジスタ２０の接続コネクタ２０ａに、レジ用クレードル２１が接続される。この接続には、バーコードスキャナで用いられるのと同じ通信規格、例えばＲＳ−２３２Ｃインタフェースを用いる。これにより、ＰＯＳレジスタ２０とレジ用クレードル２１、およびレジ用クレードル２１に載置される後述のハンディターミナル３０の間は、ＲＳ−２３２Ｃのシリアル通信によりデータの通信が行われることになる。レジ用クレードル２１のレジ側の端子とハンディターミナル側の端子間は、直接、信号線で接続されている。
【００２５】
本商品販売処理システムを導入した小売店では、客用クレードル４０と会員カードリーダ５０が店内の入口付近に設置される。客用クレードル４０には未使用のハンディターミナル３０が複数セットされて来店客の使用に備えられており、来店客が会員カードを会員カードリーダ５０に通すことで、そのうちの一つが使用可能状態となる。来店客は、そのハンディターミナル３０を客用クレードル４０から取り外して、買い物を開始する。そして、買いたい商品のコードをハンディターミナル３０に読み取らせていき、最後にＰＯＳレジスタ２０へ持って行ってレジ用クレードル２１にハンディターミナル３０をセットする（図１ではハンディターミナル３０−１がセットされている）。
【００２６】
そうすると、上記読み取られた商品のコードなどの商品買上情報が、ハンディターミナル３０からレジ用クレードル２１を介してＰＯＳレジスタ２０へ送信される。ＰＯＳレジスタ２０は、こうして取得した商品買上情報に従って、メモリに保持している商品ファイル（図７）（上記したようにストアコントローラ１０から受信したもの）を参照しながら、商品登録を実行する。これにより、ＰＯＳレジスタ２０において、買い上げ商品の合計金額が算出され、算出された合計金額等がＰＯＳレジスタ２０の表示部に表示され、店員が精算操作をすると精算処理が行われて販売実績ファイルが更新され、レシートが発行される。
【００２７】
なお、客用クレードル４０は、ストアコントローラ１０、セットされたハンディターミナル３０、および会員カードリーダ５０と通信するための通信機能を有している。そして、ハンディターミナル３０がセットされた時、ストアコントローラ１０から送信された商品ファイルおよび関連商品情報を更新する。また、（複数の）ハンディターミナル３０がセットされた順番を管理して、セットされているハンディターミナル３０の中で最も早くセットされたものに、会員カードリーダ５０からの会員番号データを送信する。
【００２８】
図２は、ハンディターミナル３０の構成を示すブロック図、図３および図４は、ハンディターミナル３０のそれぞれ表側外観図、裏側外観図である。なお、表側は表示部３０５が設けられている面、裏側はその反対側の面である。
【００２９】
ＣＰＵ３０１は、中央処理装置であり、ＲＯＭ３０２に記憶されているプログラムを読み出して実行することにより、ハンディターミナル３０の動作を制御する。ＲＯＭ３０２は、上記プログラムを記憶している読み出し専用メモリである。ＲＡＭ３０３は、ストアコントローラ１０より取得した商品ファイルおよび関連商品情報や、スキャナ部３０４で読み取った商品のバーコードのデータなどを記憶する、随時読み出し書き込みメモリである。
【００３０】
スキャナ部３０４は、商品に付されているバーコードや２次元コードを読み取るためのものであり、読み取ったバーコードの情報を所定の形式のデータに変換して出力する。このスキャナ部３０４は、図４に示されるように、ハンディターミナル３０の裏側の面に設けられており、バーコードをスキャナ部３０４に近付けることにより、読み取り動作が行われる。客の操作によってバーコード読み取りが行われスキャナ部３０４から入力されたデータは、買い上げ商品を特定するデータとしてＲＡＭ３０３へ送られ、記憶される。
【００３１】
表示部３０５は、スキャナ部３０４によりバーコードを読み取った商品の個別の商品名や値段、読み取った全商品のリストや合計金額、買い上げ点数、その他各種のメッセージ（例えば、ハンディターミナル３０の使い方が分からない客のための使用方法案内表示）などを表示する。また、表示部３０５の上側中央部には、ＬＥＤ発光部３０５ａが設けられる。このＬＥＤ発光部３０５ａは、その点灯によって、客用クレードル４０に複数載置されたハンディターミナル３０のうちどれを使用するかを来店客に報知するため、あるいはエラーを報知するためのものであり、上記した会員カードリーダ５０からの会員番号データが受信されると、ＬＥＤ発光部３０５ａが点灯するように制御が行われるようになっている。
【００３２】
操作部３０６は、ハンディターミナル３０を操作する各種のキーからなり、図３に示されるように、バーコードの読み取りを開始するためのスキャンキー３０６１、バーコードを読み取った商品を１つずつ取り消したり数量を修正したりするための訂正キー３０６２、読み取った全商品を取り消すための取消キー３０６３、買い上げる商品の数量を指定するための＋（プラス）キー３０６４、−（マイナス）キー３０６５、読み取った全商品のリスト表示において商品を選択するカーソルを上下させるための上下矢印キー３０６６、入力操作を決定するための決定キー３０６７を有している。
【００３３】
通信部３０７は、レジ用クレードル２１および客用クレードル４０を介してデータ通信の制御を行う。具体的には、ハンディターミナル３０がレジ用クレードル２１に接続された場合には、ＲＡＭ３０３に記憶された買い上げ商品のデータ（スキャナ部３０４により商品のバーコードから読み取ったデータ）を、レジ用クレードル２１を介してＰＯＳレジスタ２０に送信し、ハンディターミナル３０が客用クレードル４０に接続された場合には、ストアコントローラ１０から送信される、最新の商品ファイルや会員番号データを受信する。なお、これらのデータ通信は、上記したようにＲＳ−２３２Ｃの通信プロトコルに従って行われる。
【００３４】
ここで、ハンディターミナル３０とレジ用クレードル２１および客用クレードル４０との電気的接続は、図４に示されるように、ハンディターミナル３０の裏側の面に設けられた接続端子３０７１によりとられている。また、この接続端子３０７１は、上記のデータ通信のほか、客用クレードル４０に接続された時に充電式電池３１０の充電を行う用途も兼ねている。
【００３５】
ブザー３０８は、客用クレードル４０に複数載置されているハンディターミナル３０のうち、準備が完了していないＬＥＤ発光部３０５ａが消灯しているハンディターミナル３０が客用クレードル４０から取り外された場合に警告ブザー音を発生させたり、エラーである旨を顧客へ知らしめるためのものである。
【００３６】
電源制御部３０９は、ハンディターミナル３０が客用クレードル４０に接続されている間に、客用クレードル４０から供給される電力による充電式電池３１０への充電を制御する。充電式電池３１０は、ハンディターミナル３０の各部を動作させるための電力を供給する。
【００３７】
図５は、レジ用クレードル２１の外観図を示したものである。レジ用クレードル２１の上面（図中右側部分）には、ハンディターミナル３０の接続端子３０７１と接続される接続端子２１１が設けられている。この接続端子２１１にハンディターミナル３０の接続端子３０７１が接続されると、ハンディターミナル３０は、レジ用クレードル２１、レジ用クレードル２１の接続ケーブル２１２、ＰＯＳレジスタ２０の接続コネクタ２０ａを順次通ってＰＯＳレジスタ２０と電気的に接続され、ＰＯＳレジスタ２０とデータ通信を行うことができる状態となる。
【００３８】
また、レジ用クレードル２１は、接続端子２１１の左右両側が凸状部２１３を有するように形成されているとともに、これら凸状部２１３と直角をなす部位が凹状部２１４を有するように形成されている。ハンディターミナル３０はこれらの凸状部２１３および凹状部２１４に挟み込まれるような状態で、レジ用クレードル２１にセットされるようになっている。すなわち、ハンディターミナル３０をレジ用クレードル２１に載置する際、凸状部２１３および凹状部２１４がハンディターミナル３０を所定の位置へ案内するガイド部として機能することによって、ハンディターミナル３０の接続端子３０７１とレジ用クレードル２１の接続端子２１１とが正しく接触し、電気的接続がなされることとなる。
【００３９】
なお、図５に示すように、レジ用クレードル２１の下側側面には、電源ランプ（図示せず）、通信ランプ（図示せず）（セットされたハンディターミナル３０とＰＯＳ端末２０とが通信中であることを示す）、エラーランプ（図示せず）（通信エラーが発生したことを示す）などが設けられている。
【００４０】
図６は本実施形態のＰＯＳレジスタ２０の構成を示すブロック図である。ＣＰＵ２０１は、中央処理装置であり、ＲＯＭ２０３に記憶されているプログラムを読み出して実行することにより、ＰＯＳレジスタ２０の動作を制御する。ハードディスク２０２は会計処理が終了した後、ＲＡＭ２０４が記憶する情報を記憶する。ＲＯＭ２０３は、上記プログラムを記憶している読み出し専用メモリである。ＲＡＭ２０４（記憶手段）は、ストアコントローラ１０より取得した商品情報ファイルと、ハンディターミナル３０より取得した商品買上情報などを記憶する、随時読み出し書き込みメモリである。スキャナ部２０５は、商品に付されているバーコードを読み取るためのものであり、読み取ったバーコードの情報を所定の形式のデータに変換して出力する。
【００４１】
液晶タッチパネル部２０６（店員用表示部）は、商品買上情報など、店員に知らせる情報を表示する。また、タッチパネル式であるため、表示だけではなく入力も受け付ける。客用表示部２０７は、商品買上情報に基づき商品の金額、合計金額、つり銭の金額など、顧客に知らせる情報を表示する。レシート印字部２０８はレシートを印字する。ドロワ部２０９は現金や金券などを保管する。
【００４２】
操作部２１５は、ＰＯＳレジスタ２０へ預金を入力する数字キーや、小計、現計など会計操作を行うための各種のキーからなる。通信部２１０は、ＬＡＮ６０を経由してストアコントローラ１０と通信を行い、またレジ用クレードル２１を介してハンディターミナル３０と通信を行う。カードリーダ部２１６は、顧客がクレジットカードでの支払いを希望する場合、会計処理のためクレジットカードの情報を読み取る。ブザー２１７は、操作の確認が必要な時などにブザー音を発生させるものである。
【００４３】
図７は、ストアコントローラ１０、ＰＯＳレジスタ２０、およびハンディターミナル３０に記憶される商品ファイルの内容を示している。商品ファイルには、商品毎に商品コードや、商品名称、売価等の情報が含まれている。図８は、ストアコントローラ１０に記憶されるレシピファイルの内容を示している。レシピファイルには、レシピコードや、レシピ名称、商品コード、商品名称、分量等の情報が含まれている。
【００４４】
次に、本実施形態の特徴を説明する。本実施形態では、ハンディターミナル３０が客用クレードル４０に接続され、充電が行われている最中に、商品ファイルと共にレシピファイルまたは特売ファイル（関連商品情報）がストアコントローラ１０からハンディターミナル３０へ送信される。これらのファイルは、客用クレードル４０を経由してハンディターミナル３０の通信部３０７によって受信され、ＣＰＵ３０１の制御により、ＲＡＭ３０３に格納される。図９は、ハンディターミナル３０に記憶されるレシピファイルの内容を示している。レシピファイルには、レシピコードや、レシピ名称、商品コード、商品名称等の情報が含まれている。
【００４５】
買い物を開始した顧客は、レシピや特売チラシ等の配布物に印刷されたコード（バーコードあるいはＱＲコード）をハンディターミナル３０のスキャナ部３０４に読み取らせる。図１０は、顧客に配布されるレシピの例を示している。レシピには、必要な材料名や分量、作り方の他に、バーコード１０００またはＱＲコード１０１０（コード化情報）が印刷されている。バーコード１０００は、レシピを識別するレシピコードを示している。ＱＲコード１０１０は、図９に示したレシピファイルと同等の情報をコード化したものである。ＱＲコードは、代表的な２次元コードであり、その記録可能なデータ量は、数字であれば７０８９文字分、英数字であれば４２９６文字分、バイナリであれば２９５３文字分、漢字であれば１８１７文字分である。
【００４６】
顧客がバーコード１０００をスキャナ部３０４に読み取らせると、バーコード１０００が示すレシピコードに対応したレシピファイルに含まれる商品の情報が表示部３０５に表示される。また、顧客がＱＲコード１０１０をスキャナ部３０４に読み取らせると、ＱＲコード１０１０の変換によりコード化前のレシピの情報が取得され、そのレシピに含まれる商品の情報が表示部３０５に表示される。特売チラシに印刷されたコードを顧客がスキャナ部３０４に読み取らせた場合も上記と同様であり、特売に関する商品の情報が表示部３０５に表示される。
【００４７】
図１１は、表示部３０５に表示される情報の例を示している。顧客が、レシピに印刷されているバーコードあるいはＱＲコードをスキャナ部３０４に読み取らせると、図１１（ａ）に示すように、レシピに含まれる商品の商品名称や売価の一覧が表示される。このとき、表示部３０５に表示された商品が購入予定の商品となる。続いて、顧客が、商品に付されたバーコードをスキャナ部３０４に読み取らせると、そのバーコードが示す商品コードと、表示部３０５に表示された商品に対応する商品コードとの照合が行われる。
【００４８】
照合により商品コードが一致した場合、表示部３０５に表示されている商品の情報が画面から消えていき、非表示となる。例えば、図１１（ａ）に示す情報が表示部３０５に表示されている状態で、顧客が「牛もも薄切り」のバーコードをスキャナ部３０４に読み取らせた場合、「牛もも薄切り」の情報が非表示となる（図１１（ｂ））。さらに、顧客が「じゃがいも」、「玉ねぎ」、「きぬさや」、「出汁の素」のバーコードをスキャナ部３０４に順番に読み取らせた場合、これらの商品の情報が同様に非表示となる（図１１（ｃ））。
【００４９】
照合により商品コードが一致した場合、その商品コードに対応した商品の情報を他の商品の情報と区別して表示することも可能である。例えば、図１２（ａ）に示す情報が表示部３０５に表示されている状態で、顧客が「牛もも薄切り」のバーコードをスキャナ部３０４に読み取らせた場合、この商品の情報の表示形態が変化する（図１２（ｂ））。具体的には、この商品の情報を示す文字が、反転表示等により他の文字とは区別して表示される。さらに、顧客が「じゃがいも」、「玉ねぎ」、「きぬさや」、「出汁の素」のバーコードをスキャナ部３０４に順番に読み取らせた場合、これらの商品の情報の表示形態が同様に変化する（図１２（ｃ））。
【００５０】
上記の他に、照合により一致した商品コードに対応した商品の情報を、他の商品の情報とは区別する印（×印や○印等）と合わせて表示してもよい。あるいは、照合により一致した商品コードに対応した商品の情報を他の商品の情報よりも薄い色で表示してもよい。このように、照合により一致した商品コードに対応した商品の情報と、他の商品の情報とを区別して表示する方法であれば、いずれの方法を用いてもよい。
【００５１】
また、本実施形態では、顧客が購入する予定のない商品の情報を個別に非表示にすることが可能である。例えば、図１３（ａ）に示す情報が表示部３０５に表示されている状態で、「出汁の素」が既に顧客の家にある場合、顧客はハンディターミナル３０の操作部３０６を操作し、「出汁の素」を選択する。すると、「出汁の素」の情報が非表示となる（図１３（ｂ））。
【００５２】
表示を切り替えることにより、顧客が個別に指定して非表示にした商品の情報を確認することが可能である。図１３（ｂ）に示す情報が表示部３０５に表示されている状態で、顧客が操作部３０６を操作し、表示の切替指示を入力すると、表示部３０５の表示が切り替わり、図１３（ｃ）に示すように、顧客が個別に非表示指定（購入除外）した「出汁の素」の情報が表示部３０５に表示される。
【００５３】
次に、図１４を参照しながら、買い物におけるハンディターミナル３０の動作の手順を説明する。まず、顧客は、レシピまたは特売チラシ等に印刷されたバーコード（コード情報）をスキャナ部３０４に読み取らせる（ステップＳ１００）。ＣＰＵ３０１（呼出手段）は、ＲＡＭ３０３に格納されているレシピファイルまたは特売ファイルから、スキャナ部３０４によって読み取られたバーコードに対応したレシピ中の商品の情報または特売商品の情報を読み出し、ＲＡＭ３０３内の購入予定商品のエリアに格納する（ステップＳ１０１）。
【００５４】
続いて、ＣＰＵ３０１は、操作部３０６（選択指示入力手段）から出力される信号を監視し、商品を個別に指定して非表示にする指示（個別非表示の指示）が顧客によって入力されたか否かを判定する（ステップＳ１０２）。個別非表示の指示が入力された場合には、処理がステップＳ１０３に進み、個別非表示の指示が入力されていない場合には、処理がステップＳ１０４に進む。
【００５５】
処理がステップＳ１０３に進んだ場合、ＣＰＵ３０１は、ＲＡＭ３０３内の購入予定商品のエリアに格納されている情報を表示部３０５へ出力する。表示部３０５は、この情報に基づいて、レシピ中の商品の情報または特売商品の情報を表示する。顧客は、表示部３０５に表示されている商品の中から、個別非表示としたい商品を選択し、操作部３０６に選択結果を入力する。ＣＰＵ３０１は、操作部３０６から出力される信号に基づいて、顧客によって個別非表示を指示された商品を特定する。さらに、ＣＰＵ３０１は、ステップＳ１０１でＲＡＭ３０３内の購入予定商品のエリアに格納した商品の情報のうち、個別非表示を指示された商品の情報に対して、非表示のフラグを立てる。また、ＣＰＵ３０１は、個別非表示を指示された商品の情報をＲＡＭ３０３内の個別非表示商品のエリアに格納する（ステップＳ１０３）。
【００５６】
続いて、ＣＰＵ３０１は、ＲＡＭ３０３内の購入予定商品のエリアに格納されている情報のうち、非表示のフラグが立っていない商品の情報を表示部３０５へ出力する。表示部３０５（表示手段）は、この情報に基づいて、レシピ中の商品の情報または特売商品の情報を表示する（ステップＳ１０４）。
【００５７】
続いて、顧客が、商品棚に陳列されている商品に付されたバーコードをスキャナ部３０４（読取手段）に読み取らせる（ステップＳ１０５）と、ＣＰＵ３０１（照合手段）は、読み取られたバーコードが示す商品コードと、ＲＡＭ３０３内の購入予定商品のエリアに格納されている商品コードとを照合する（ステップＳ１０６）。
【００５８】
ステップＳ１０６での照合の結果、読み取られたバーコードが示す商品コードと一致する商品コードがＲＡＭ３０３内の購入予定商品のエリアに格納されていなかった場合には、処理がステップＳ１０７に進む。また、ステップＳ１０６での照合の結果、読み取られたバーコードが示す商品コードと一致する商品コードがＲＡＭ３０３内の購入予定商品のエリアに格納されていた場合には、処理がステップＳ１０８に進む。
【００５９】
処理がステップＳ１０７に進んだ場合、ＣＰＵ３０１は表示部３０５にエラーメッセージを出力すると共に、ブザー３０８へ駆動指示を出力する。この結果、表示部３０５（エラー報知手段）がエラーメッセージを表示すると共に、ブザー３０８（エラー報知手段）がエラー音を発生する（ステップＳ１０７）。これによって、購入予定商品とは異なる商品の商品コードを読み取ったことによるエラーが顧客に報知されるので、顧客は会計前に商品の購入間違いを知ることができる。所定秒数エラー報知が行われた後、処理はステップＳ１０５に戻る。または、所定秒数エラー報知をしている間に、解除するボタンが顧客によって押された場合も、処理はステップＳ１０５に戻る。
【００６０】
処理がステップＳ１０８に進んだ場合、ＣＰＵ３０１（表示制御手段）は、ステップＳ１０１でＲＡＭ３０３内の購入予定商品のエリアに格納した商品の情報のうち、ステップＳ１０６での照合の結果、一致した商品コードに対応した商品の情報に対して、非表示のフラグを立てる。また、ＣＰＵ３０１は、ステップＳ１０６での照合により一致した商品コードに対応した商品の情報を商品買上情報としてＲＡＭ３０３に格納する（ステップＳ１０８）。図１５は商品買上情報の内容を示している。商品買上情報には、商品毎に商品コードや、商品名称、購入数、購入金額等の情報が含まれている。
【００６１】
続いて、ＣＰＵ３０１は、ステップＳ１０６での照合により一致した商品コードに対応した商品の情報、およびステップＳ１０３で個別非表示とした商品の情報を確認するためのボタン（表示切替指示入力手段）が押されたか否かを判定する（ステップＳ１０９）。このボタンは、操作部３０６が備えるボタンであり、ＣＰＵ３０１は、操作部３０６から出力される信号に基づいて、ボタンが押されたか否かをステップＳ１０９で判定する。ボタンが押されなかった場合には、処理がステップＳ１１０に進み、ボタンが押された場合には、処理がステップＳ１１１に進む。
【００６２】
処理がステップＳ１１１に進んだ場合、ＣＰＵ３０１は、ステップＳ１０６での照合により一致した商品コードに対応した商品の情報を表示するか否かを判定する（ステップＳ１１１）。このとき、表示部３０５に所定のメッセージ等が表示され、そのメッセージ等を確認した顧客によるボタンの操作結果に基づいて判定が行われる。ボタンの操作により、「はい又はＯＫ」が選択された場合には、商品の情報を表示すると判定され、処理がステップＳ１１２に進む。また、ボタンの操作により、「いいえ又はＮＯ」が選択された場合には、商品の情報を表示しないと判定され、処理がステップＳ１１３に進む。
【００６３】
処理がステップＳ１１２に進んだ場合、ＣＰＵ３０１は、ＲＡＭ３０３から商品買上情報を読み出し、表示部３０５へ出力する。表示部３０５は商品買上情報の内容を表示する（ステップＳ１１２）。これによって、ステップＳ１０６での照合により一致した商品コードに対応した商品の商品名称や、購入数、購入金額等が表示される。これによって、顧客は会計前に支払い予定の金額を知ることができ、安心して買い物を行うことができる。終了を指示するボタンが押された後、処理がステップＳ１１３に進む。
【００６４】
処理がステップＳ１１３に進んだ場合、ＣＰＵ３０１は、ステップＳ１０３で個別非表示（購入除外商品）とした商品の情報を表示するか否かを判定する（ステップＳ１１３）。このとき、表示部３０５に所定のメッセージ等が表示され、そのメッセージ等を確認した顧客によるボタンの操作結果に基づいて判定が行われる。ボタンの操作により、「はい又はＯＫ」が選択された場合には、商品の情報を表示すると判定され、処理がステップＳ１１４に進む。また、ボタンの操作により、「いいえ又はＮＯ」が選択された場合には、商品の情報を表示しないと判定され、処理がステップＳ１１０に進む。
【００６５】
処理がステップＳ１１４に進んだ場合、ＣＰＵ３０１は、ＲＡＭ３０３内の個別非表示商品（購入除外商品）のエリアに格納されている情報をＲＡＭ３０３から読み出し、表示部３０５へ出力する。表示部３０５は、この商品の情報を表示する（ステップＳ１１４）。これによって、個別非表示（購入除外商品）とされた商品の商品名称や単価等が表示される。終了を指示するボタンが押された後、処理がステップＳ１１０に進む。
【００６６】
処理がステップＳ１１０に進んだ場合、ＣＰＵ３０１は、買い物が終了したか否かを判定する（ステップＳ１１０）。この判定は、ハンディターミナル３０の完了決定ボタンが押されたか否かを検出することにより行う。ハンディターミナル３０の完了決定ボタンが押されていない場合には、買い物が終了していないと判定され、処理がステップＳ１０２に戻る。また、ハンディターミナル３０の完了決定ボタンが押された場合には、買い物が終了したと判定され、処理がステップＳ１１５に進む。
【００６７】
処理がステップＳ１１５に進むと、ハンディターミナル３０がレジ用クレードル２１に接続されているか否かの確認が行われる。ハンディターミナル３０がレジ用クレードル２１に接続されている場合には、ＣＰＵ３０１は、ＲＡＭ３０３から商品買上情報を読み出し、通信部３０７へ出力する。通信部３０７（送信手段）は商品買上情報をＰＯＳレジスタ２０へ送信する（ステップＳ１１５）。この商品買上情報は、ステップＳ１０６での照合により一致した商品コードに対応した商品の情報であり、この商品買上情報がレジ用クレードル２１を経由して接続コネクタ２０ａからＰＯＳレジスタ２０に入力される。ハンディターミナル３０が客用クレードル４０に接続されていない場合には、ＣＰＵ３０１はＰＯＳレジスタ２０への送信待ち状態で待機する。
【００６８】
上記のステップＳ１００では、レシピ等に印刷されているバーコード（コード情報）をスキャナ部３０４に読み取らせているが、レシピ等に印刷されているＱＲコード（コード情報）をスキャナ部３０４に読み取らせてもよい。その場合、ＣＰＵ３０１によってＱＲコードがコード化前の情報に変換され、ＲＡＭ３０３に格納される。この情報には、レシピファイルや特売ファイルに含まれる情報と同様の情報が含まれており、この情報に基づいて表示等の処理が行われる。
【００６９】
また、購入予定商品のバーコードを読み取るごとに、ＲＡＭ３０３内の購入予定商品のエリアに非表示のフラグが立つので、ＣＰＵ３０１が、全ての購入予定商品に対して非表示のフラグが立っているか否かを確認することによって、全ての購入予定商品の商品コードの読み取りと照合が終了したか否かを判定してもよい。さらに、全ての購入予定商品の商品コードの読み取りと照合が終了した場合には、ＣＰＵ３０１が表示部３０５に所定のメッセージを出力すると共に、ブザー３０８へ駆動指示を出力するとよい。これによって、全ての購入予定商品の商品コードの読み取りと照合が完了したことを報知するメッセージが表示される、あるいは報知音が発生するので、顧客は戸惑うことなく会計を行うことができる。また、買い物が終了したか否かの判定（ステップＳ１１０）では、完了決定ボタンが押されたか否かを検出することにより判定を行っているが、ハンディターミナル３０がレジ用クレードル２１に接続されているか否かを検出することにより判定を行ってもよい。
【００７０】
また、上記では、レシピ等に印刷されたバーコードを読み取り、そのバーコードに対応したレシピ中の商品の情報または特売商品の情報をＲＡＭ３０３から読み出して購入予定商品の情報として表示部３０５に表示しているが、レシピあるいは特売の一覧を表示部３０５に一旦表示させ、その一覧から顧客が選択したレシピあるいは特売に関する商品の情報をＲＡＭ３０３から読み出して購入予定商品の情報として表示部３０５に表示してもよい。また、レシピあるいは特売チラシに印字された番号をハンディターミナル３０へ入力して商品情報を画面へ呼び出し表示させてもよい。
【００７１】
また、レシピを構成する商品の情報を表示するだけでなく、レシピに基づいた調理方法等を表示してもよい。例えば、レシピファイルと共に、図１６に示す調理説明ファイルがストアコントローラ１０からハンディターミナル３０へ送信され、ハンディターミナル３０内のＲＡＭ３０３に格納される。図１６に示すように、調理説明ファイルには、レシピコードや調理方法等の情報が含まれている。顧客からの指示に基づいて、この調理説明ファイルがＲＡＭ３０３から読み出されて表示部３０５へ出力され、表示部３０５に調理説明ファイルの内容が表示される。調理説明ファイルの内容を表示することによって、顧客が買い物中に調理方法を確認することができる。
【００７２】
次に、図１７を参照しながら、買い物におけるＰＯＳレジスタ２０の動作の手順を説明する。ＰＯＳレジスタ２０の通信部２１０は、ハンディターミナル３０から送信された商品買上情報を受信する（ステップＳ２００）。受信された商品買上情報は、ＣＰＵ２０１の制御によってＲＡＭ２０４に格納される。ＣＰＵ２０１は、ＲＡＭ２０４から商品買上情報を読み出し、液晶タッチパネル部２０６および客用表示部２０７へ出力する。液晶タッチパネル部２０６および客用表示部２０７は、商品買上情報に含まれる商品の情報を表示する（ステップＳ２０１）。
【００７３】
続いて、ＣＰＵ２０１は、操作部２１５から出力される信号に基づいて、訂正キーが押されたか否かを判定する（ステップＳ２０２）。訂正キーが押された場合には、処理がステップＳ２０４に進み、訂正キーが押されていない場合には、処理がステップＳ２０３に進む。処理がステップＳ２０４に進んだ場合、商品買上情報に対する商品の追加登録や訂正（登録されている商品の取消等）が行われる（ステップＳ２０４）。続いて、処理がステップＳ２０１に戻る。
【００７４】
処理がステップＳ２０３に進んだ場合、ＣＰＵ２０１は、操作部２１５から出力される信号に基づいて、小計キーが押されたか否かを判定する（ステップＳ２０３）。小計キーが押された場合には、処理がステップＳ２０５に進み、小計キーが押されていない場合には、処理がステップＳ２０１に戻る。処理がステップＳ２０５に進んだ場合、店員が顧客から預かった金額が操作部２１５に入力され、ＣＰＵ２０１の制御によってＲＡＭ２０４に預かり金額の情報が格納される。また、ＣＰＵ２０１の制御によって預かり金額の情報が液晶タッチパネル部２０６および客用表示部２０７へ出力され、預かり金額が表示される（ステップＳ２０５）。
【００７５】
続いて、ＣＰＵ２０１は、操作部２１５から出力される信号に基づいて、現計キーが押されたか否かを判定する（ステップＳ２０６）。現計キーが押された場合には、処理がステップＳ２０７に進み、現計キーが押されていない場合には、処理がステップＳ２０５に戻る。処理がステップＳ２０７に進んだ場合、ＣＰＵ２０１は、商品買上情報および預かり金額の情報等に基づいて生成した会計情報をレシート印字部２０８へ出力する。レシート印字部２０８は、会計情報に基づいてレシートに印字を行う（ステップＳ２０７）。
【００７６】
続いて、ＣＰＵ２０１は、会計情報を通信部２１０へ出力する。通信部２１０は会計情報をストアコントローラ１０へ送信する（ステップＳ２０８）。この会計情報に基づいて、ストアコントローラ１０によって販売実績ファイルが更新される。
【００７７】
次に、本実施形態の変形例を説明する。上記では、レシピファイルまたは特売ファイルに含まれる商品コードと、ハンディターミナル３０のスキャナ部３０４が読み取った商品コードとが一致した場合に、その商品コードに対応した商品に関する商品買上情報がＰＯＳレジスタ２０へ送信されている。これに対して、レシピファイルまたは特売ファイルに含まれる商品コードと一致しない商品コードを顧客がハンディターミナル３０のスキャナ部３０４に読み取らせた場合でも、その商品コードに対応した商品に関する商品買上情報をＰＯＳレジスタ２０へ送信するようにしてもよい。
【００７８】
これによって、顧客は店舗が用意したレシピファイルまたは特売ファイルで特定される商品以外の商品も購入することができ、また、ついで買いや購入商品の変更ができるので、売上および顧客の満足度を上げることができる。例えば、レシピファイルまたは特売ファイルで特定される特定の商品と同等あるいは同質の別の商品や、顧客が普段よく調理で使用している商品を購入することができるようになるので、購入の自由度が広がり、顧客の満足度を上げることができる。
【００７９】
以下、本変形例によるハンディターミナル３０の具体的な動作を説明する。レシピファイルまたは特売ファイルに含まれる商品コードと一致しない商品コードを顧客がスキャナ部３０４に読み取らせた場合、ハンディターミナル３０は、スキャナ部３０４が読み取った商品コードに対応した商品の情報を表示部３０５に表示させて、購入するか否かを顧客に確認させ、顧客がその商品の購入を選択した場合には、その商品の情報を買上商品情報に追加する。あるいは、上記の表示を行わずに、スキャナ部３０４が読み取った商品コードに対応した商品の情報を買上商品情報に追加するようにしてもよい。
【００８０】
ハンディターミナル３０の具体的な動作の手順は、図１４に示した手順に従う。ただし、ステップＳ１０７，Ｓ１１２，Ｓ１１５の処理内容が、前述した処理内容と異なる。以下では、ステップＳ１０６での照合により一致した商品コードに対応した商品を照合一致商品と記載し、商品コードは一致していないものの顧客が購入を選択した商品を照合不一致商品と記載する。
【００８１】
ステップＳ１０７では、ＣＰＵ３０１はブザー３０８へ駆動指示を出力し、エラー音を発生させる。また、ＣＰＵ３０１は、スキャナ部３０４が読み取った商品コードに対応した照合不一致商品の情報を商品ファイルから読み出し、商品買上情報としてＲＡＭ３０３に格納する。この照合不一致商品の情報には、照合一致商品の情報と区別可能なフラグが付与される。なお、ブザー３０８にエラー音を発生させるか否かを予め設定できるようにしておき、ブザー３０８にエラー音を発生させることなく、照合不一致商品の情報をＲＡＭ３０３に格納するようにしてもよい。
【００８２】
ステップＳ１１２では、ＣＰＵ３０１は、ＲＡＭ３０３から商品買上情報を読み出して表示部３０５へ出力し、表示部３０５に商品買上情報の内容を表示させる。このときＣＰＵ３０１は、商品買上情報に付与されているフラグに基づいて、照合一致商品の情報と照合不一致商品の情報とを区別して表示するように制御を行う。表示方法としては、照合一致商品と照合不一致商品のうち一方を反転表示や○×等の印を用いて表示する方法がある。
【００８３】
ステップＳ１１５では、ＣＰＵ３０１はＲＡＭ３０３から商品買上情報を読み出し、通信部３０７へ出力する。通信部３０７は商品買上情報をＰＯＳレジスタ２０へ送信する。この商品買上情報は照合一致商品の情報と照合不一致商品の情報とを含んでおり、この商品買上情報がレジ用クレードル２１を経由して接続コネクタ２０ａからＰＯＳレジスタ２０に入力される。
【００８４】
上述したように、本実施形態によれば、購入対象となる一群の商品の情報を表示した後、顧客がハンディターミナル３０のスキャナ部３０４に読み取らせた商品コードと一致した商品コードに対応した商品の情報を非表示にする、あるいは他の商品の情報と区別して表示することによって、顧客が購入済み商品および未購入商品を容易に確認することができる。したがって、顧客が購入する商品の確認を容易に行うことができ、商品の買い忘れがなくなる。また、顧客がハンディターミナル３０のスキャナ部３０４に読み取らせた商品コードと、レシピファイルや特売ファイルに含まれる商品コードとが一致した場合に、その商品コードに対応した商品の情報が商品買上情報として登録されるので、商品の購入間違いを防止することができる。
【００８５】
また、ＱＲコードが印刷されたレシピや特売チラシ等の配布物からＱＲコードを読み取る場合には、レシピや特売に関する商品の情報をハンディターミナル３０に予め記憶させておく必要がなくなり、ハンディターミナル３０の限られた記憶容量を節約することができる。
【００８６】
また、ステップＳ１０６での照合により一致した商品コードに対応した商品の情報と、顧客が購入する予定のない商品の情報とをそれぞれ個別に表示する（ステップＳ１１２，Ｓ１１４）ことが可能なので、顧客が商品コードを読み取った購入済み商品と、購入する予定のない商品とを容易に確認することができる。
【００８７】
また、従来、顧客がレシピや特売チラシ等を見ながら商品を購入する場合には、レシピや特売チラシ等に記載されている商品の名称と、実際に陳列されている商品に記載されている名称あるいはＰＯＰ広告に記載されている商品の名称とを顧客自身が照合しながら商品を購入していた。しかし、レシピや特売チラシ等に記載されている文字が小さいなどの理由により、商品の名称を顧客が読めない場合には、顧客が購入対象である商品を特定することができず、商品を購入することができないという問題があった。また、購入対象である商品を顧客が見たことがなかったり、あるいはＰＯＰ広告に記載された商品の名称を顧客が読めなかったりする場合にも、顧客が購入対象である商品を特定することができず、商品を購入することができないという問題があった。
【００８８】
これに対して、本実施形態によれば、レシピや特売に関する商品の情報を、顧客が見やすい字でハンディターミナル３０の表示部３０５に表示することによって、顧客が購入対象である商品を特定できなくなることを防止することができる。また、顧客がハンディターミナル３０のスキャナ部３０４に読み取らせた商品の商品コードと、購入予定商品の商品コードとが一致しなかった場合に顧客にエラーを報知することによって、顧客が購入対象である商品を特定できなくなることを防止することができる。
【００８９】
以上、図面を参照して本発明の実施形態について詳述してきたが、具体的な構成は上記の実施形態に限られるものではなく、本発明の要旨を逸脱しない範囲の設計変更等も含まれる。
【図面の簡単な説明】
【００９０】
【図１】本発明の一実施形態による販売処理システムの構成を示すブロック図である。
【図２】本発明の一実施形態による販売処理システムが備えるハンディターミナルの構成を示すブロック図である。
【図３】本発明の一実施形態による販売処理システムが備えるハンディターミナルの表側外観図である。
【図４】本発明の一実施形態による販売処理システムが備えるハンディターミナルの裏側外観図である。
【図５】本発明の一実施形態による販売処理システムが備えるレジ用クレードルの外観図である。
【図６】本発明の一実施形態による販売処理システムが備えるＰＯＳレジスタの構成を示すブロック図である。
【図７】本発明の一実施形態における商品ファイルの内容を示す図である。
【図８】本発明の一実施形態におけるレシピファイルの内容を示す図である。
【図９】本発明の一実施形態におけるレシピファイルの内容を示す図である。
【図１０】本発明の一実施形態における店内配布されるレシピの例を示す図である。
【図１１】本発明の一実施形態における非表示手段の表示の例を示す図である。
【図１２】本発明の一実施形態における他の品名と区別して表示する表示の例を示す図である。
【図１３】本発明の一実施形態における選択指示により品名を非表示にする表示の例を示す図である。
【図１４】本発明の一実施形態による販売処理システムが備えるハンディターミナルの動作の手順を示すフローチャートである。
【図１５】本発明の一実施形態における商品買上情報の内容を示す図である。
【図１６】本発明の一実施形態における調理説明ファイルの内容を示す図である。
【図１７】本発明の一実施形態による販売処理システムが備えるＰＯＳレジスタの動作の手順を示すフローチャートである。
【符号の説明】
【００９１】
２０１，３０１・・・ＣＰＵ、２０２・・・ハードディスク、２０３，３０２・・・ＲＯＭ、２０４，３０３・・・ＲＡＭ、２０５，３０４・・・スキャナ部、２０６・・・液晶タッチパネル部、２０７・・・客用表示部、２０８・・・レシート印字部、２０９・・・ドロワ部、２１０，３０７・・・通信部、２１５，３０６・・・操作部、２１６・・・カードリーダ部、２１７，３０８・・・ブザー、３０５・・・表示部、３０５ａ・・・ＬＥＤ発光部、３０９・・・電源制御部、３１０・・・充電式電池
【図１】
2009277209.tif 000003
【図２】
2009277209.tif 000004
【図３】
2009277209.tif 000005
【図４】
2009277209.tif 000006
【図５】
2009277209.tif 000007
【図６】
2009277209.tif 000008
【図７】
2009277209.tif 000009
【図８】
2009277209.tif 000010
【図９】
2009277209.tif 000011
【図１０】
2009277209.tif 000012
【図１１】
2009277209.tif 000013
【図１２】
2009277209.tif 000014
【図１３】
2009277209.tif 000015
【図１４】
2009277209.tif 000016
【図１５】
2009277209.tif 000017
【図１６】
2009277209.tif 000018
【図１７】
2009277209.tif 000019